(57)【要約】      （修正有）【課題】簡単な制御で消費エネルギーを抑制し、住宅内を快適に移動することができる住宅の室温調整装置を提供する。【解決手段】住宅の室温調整装置は居室及びこの居室以外の部屋を有する住宅の室温調整装置である。住宅の室温調整装置は、住宅内であって、少なくとも居室の所定の２か所に設けられた温度センサーと、住宅内の所定の位置に設けられた空調装置と、複数の温度センサーが取得した室温データの平均値である第１平均室温を目標室温にして居室以外の１階の便所、洗面・脱衣室、及び２階の便所に設けられた空調装置を制御する制御装置とを備えている。【選択図】図４
2015064115.tif 000002
【特許請求の範囲】
【請求項１】
居室及びこの居室以外の部屋を有する住宅の室温調整装置であって、
前記住宅内であって、少なくとも前記居室の所定の２か所に設けられた温度センサーと、
前記住宅内の所定の位置に設けられた空調装置と、
複数の前記温度センサーが取得した室温データの平均値である第１平均室温を目標室温にして前記居室以外の部屋に設けられた前記空調装置を制御する制御装置とを備えていることを特徴とする住宅の室温調整装置。
【請求項２】
前記制御装置は、複数の前記温度センサーが取得した室温データの内、前記第１平均室温に対して設定した温度範囲内の室温データのみの平均値である第２平均室温を前記目標室温にすることを特徴とする請求項１記載の住宅の室温調整装置。
【発明の詳細な説明】
【技術分野】
【０００１】
本発明は住宅の室温調整装置に関するものである。
【背景技術】
【０００２】
特許文献１は従来の住宅の室温調整装置を開示している。この住宅の室温調整装置は、居室の一つである寝室と、居室以外の部屋に相当し、寝室に通じた廊下との室温差を無くし、ヒートショックの発生を抑制するものである。この住宅の室温調整装置は、寝室と廊下との室温差が設定した温度差以上になると、カーテン装置によって廊下と、廊下に通じた吹抜空間とを仕切り、廊下に設けた空調装置を駆動する。この住宅の室温調整装置は、カーテン装置によって、廊下と吹抜空間とを仕切るため、廊下に設けた空調装置から供給された空調空気が廊下から吹抜空間に流出し難くなる。このため、廊下に設けた空調装置の空調効率が高められるとともに、寝室と廊下との間を移動する際のヒートショックの発生を抑制することができる。
【先行技術文献】
【特許文献】
【０００３】
【特許文献１】特開２０１１−６９５３９号公報
【発明の概要】
【発明が解決しようとする課題】
【０００４】
しかし、特許文献１の住宅の室温調整装置は、寝室の室温のみに基づいて廊下に設けた空調装置を駆動する。このため、この住宅の室温調整装置は寝室以外の部屋と廊下との室温差を考慮していない。仮に、寝室以外の部屋と寝室との室温差が大きい場合、この住宅の室温調整装置によって廊下が室温調整された後であっても、廊下と寝室以外の部屋との温度差が大きいままのおそれがある。また、住宅の全部屋の室温差を少なくするために住宅の全部屋の室温を集中管理し、各部屋に設けた空調装置を制御しようとすると、制御が複雑になったり、そのために要する消費エネルギーが多くなったりするおそれがある。
【０００５】
本発明は、上記従来の実情に鑑みてなされたものであって、簡単な制御で消費エネルギーを抑制し、住宅内を快適に移動することができる住宅の室温調整装置を提供することを解決すべき課題としている。
【課題を解決するための手段】
【０００６】
本発明の住宅の室温調整装置は、居室及びこの居室以外の部屋を有する住宅の室温調整装置であって、
前記住宅内であって、少なくとも前記居室の所定の２か所に設けられた温度センサーと、
前記住宅内の所定の位置に設けられた空調装置と、
複数の前記温度センサーが取得した室温データの平均値である第１平均室温を目標室温にして前記居室以外の部屋に設けられた前記空調装置を制御する制御装置とを備えていることを特徴とする。
【０００７】
居室は、居間、寝室、食堂、及び台所等であり、居室以外の部屋は、浴室、洗面・脱衣室、便所、廊下及び玄関等である。居室は、継続的に使用されるため、居室に設けられた空調装置を個別に住人が温度設定して快適な室温にされる場合がほとんどである。一方、居室以外の部屋は、使用頻度が少なく、使用時間が短いため、そこに設けられた空調装置を個別に住人が温度設定することが少ない。
【０００８】
このため、この住宅の室温調整装置は、少なくとも居室の所定の２か所に設けられた温度センサーがその周辺の室温データを取得し、その室温データの平均値である第１平均室温を目標室温にして居室以外の部屋に設けられた空調装置を制御する。これによって、居室と居室以外の部屋との室温差を小さくし、ヒートショックの発生を防止することができる。
【０００９】
住宅内の各部屋は室温差が生じている。そこで、各温度センサーが取得した室温データの平均値である第１平均室温を目標室温にすることによって、この目標室温に室温制御された部屋と他の各部屋との温度差のばらつきを少なくすることができる。このため、居室以外の室温制御された部屋と他の各部屋との間を移動する際のヒートショックの発生を防止することができる。
【００１０】
また、各温度センサーが取り付けられた位置が、エアコンを切っている部屋だったり、窓が開放された部屋だったり、コンロの熱風が直接当たる場所だったり、空調装置の熱源の近傍だったりすることによって、各温度センサーが取得する室温データの中に高すぎたり、低すぎたりする室温データが含まれていても、平均値化することによって、目標室温への影響を緩和することができる。つまり、この住宅の室温調整装置は、目標室温が極端に偏ってしまうことを防止することができる。このため、この住宅の室温調整装置は消費エネルギーを抑えることができる。
【００１１】
したがって、本発明の住宅の室温調整装置は、簡単な制御で消費エネルギーを抑制し、住宅内を快適に移動することができる。
【図面の簡単な説明】
【００１２】
【図１】実施例１及び２の住宅の室温調整装置を適用した住宅の１階を示す平面図である。
【図２】実施例１及び２の住宅の室温調整装置を適用した住宅の２階を示す平面図である。
【図３】実施例１及び２の住宅の室温調整装置の構成を示すブロック図である。
【図４】実施例１の住宅の室温調整装置の室温制御方法を示すフローチャートである。
【図５】実施例２の住宅の室温調整装置の室温制御方法を示すフローチャートである。
【発明を実施するための形態】
【００１３】
本発明における好ましい実施の形態を説明する。
【００１４】
前記制御装置は、複数の前記温度センサーが取得した室温データの内、前記第１平均室温に対して設定した温度範囲内の室温データのみの平均値である第２平均室温を前記目標室温にし得る。例えば、エアコンを切っている部屋、窓が開放された部屋、台所のコンロの熱風が直接当たる場所、又は空調装置の熱源の近傍等に設けられた温度センサーが取得する室温データが高すぎたり、低すぎたりする場合がある。この住宅の室温調整装置は、第１平均室温に対して設定した温度範囲外の室温データを異常値として除外し、残りの室温データのみの平均値を第２平均室温にして目標室温にすることによって、異常値に全く影響されない目標室温にすることができ、ヒートショックの発生を防止する適正な室温に制御することができる。
【００１５】
次に、本発明の住宅の室温調整装置を２階建の住宅に適用して具体化した実施例１及び２について、図面を参照しつつ説明する。
【００１６】
＜実施例１＞
実施例１の住宅の室温調整装置を適用した２階建ての住宅は、図１及び図２に示すように、１階に居室として、居間１１、食堂１２、及び台所１３が設けられており、居室以外の部屋として、浴室２１、洗面・脱衣室２２、便所２３、及び玄関２４が設けられている。また、この住宅は、２階に居室として３部屋の寝室（主寝室１４、子供用寝室１５、予備の寝室１６）が設けられており、居室以外の部屋として、便所２５、廊下２６、及び納戸２７が設けられている。
【００１７】
１階の居間１１、食堂１２、台所１３、及び玄関２４は、壁で仕切られておらず、一つの広い空間を構成している。居間１１の中央にはテーブル３１が配置されている。食堂１２の中央には食卓テーブル３２が配置されている。食堂１２から台所１３に延びた壁に接し、その壁から室内に延びたＩ型のキッチンキャビネット３３が取り付けられている。このキッチンキャビネット３３によって、食堂１２と台所１３との境界が形成されている。キッチンキャビネット３３はシンク３３Ａとコンロ３３Ｂとを有している。
【００１８】
１階の洗面・脱衣室２２、浴室２１、及び便所２３は、図１に示すように、居間１１等と壁で仕切られている。洗面・脱衣室２２と浴室２１とは隣接して設けられている。洗面・脱衣室２２と居間１１との間にドア４１Ａを有する出入口４１が設けられ、出入することができる。浴室２１と洗面・脱衣室２２との間にドア４２Ａを有する出入口４２が設けられ、出入することができる。洗面・脱衣室２２には洗面化粧台３４が取り付けられている。浴室２１には浴槽３５が取り付けられている。便所２３と居間１１との間にドア４３Ａを有する出入口４３が設けられ、出入することができる。便所２３には水洗式大便器３６が取り付けられている。
【００１９】
２階の各寝室１４、１５、１６便所２５、廊下２６、納戸２７は、図２に示すように、壁で仕切られている。廊下２６は１階から延びた階段２８に連続して設けられている。各寝室１４、１５、１６の夫々と廊下２６との間にドア４４Ａ、４５Ａ、４６Ａを有する出入口４４、４５、４６が設けられ、出入することができる。主寝室１４には２台一組のベッド３７が配置されている。子供用寝室１５にはベッド３８及び勉強机３９が配置されている。便所２５と廊下２６との間にドア４７Ａを有する出入口４７が設けられ、出入することができる。便所２５には水洗式大便器４０が取り付けられている。納戸２７は予備の寝室１６に隣接しており、この寝室１６と納戸２７との間にドア４８を有する出入口４８Ａが設けられ、出入することができる。
【００２０】
住宅の室温調整装置は、図１〜図３に示すように、住宅内の所定の位置に設けられた１０個の空調装置１Ａ〜１０Ａ及び１０個の温度センサー１Ｂ〜１０Ｂと、各温度センサー１Ｂ〜１０Ｂが取得した室温に基づいて居室以外の部屋である１階の便所２３、洗面・脱衣室２２、及び２階の便所２５に設けられた空調装置２Ａ、６Ａ、１０Ａを制御する制御装置５０とを備えている。つまり、この住宅の室温調整装置は、１階の便所２３、洗面・脱衣室２２、及び２階の便所２５の室温が適切な室温になるように、そこに取付けられた空調装置２Ａ、６Ａ、１０Ａを制御するものである。
【００２１】
空調装置１Ａ〜１０Ａと温度センサー１Ｂ〜１０Ｂとを１個ずつ１組にして、住宅内の所定の位置に取り付けている。１組目の空調装置１Ａ及び温度センサー１Ｂは１階の玄関２４の壁面に取り付けられている。２組目の空調装置２Ａ及び温度センサー２Ｂは１階の便所２３の壁面に取り付けられている。３組目の空調装置３Ａ及び温度センサー３Ｂは、１階の居間１１の壁面であって、階段２８の下側に取り付けられている。４組目の空調装置４Ａ及び温度センサー４Ｂは１階の食堂１２の壁面に取り付けられている。５組目の空調装置５Ａ及び温度センサー５Ｂは１階の台所１３の壁面であって、コンロ３３Ｂの上方に取り付けられている。６組目の空調装置６Ａ及び温度センサー６Ｂは１階の洗面・脱衣室２２の壁面に取り付けられている。７組目の空調装置７Ａ及び温度センサー７Ｂは浴室２１の壁面に取り付けられている。８組目の空調装置８Ａ及び温度センサー８Ｂは２階の主寝室１４の壁面に取り付けられている。９組目の空調装置９Ａ及び温度センサー９Ｂは２階の子供用寝室１５の壁面に取り付けられている。１０組目の空調装置１０Ａ及び温度センサー１０Ｂは２階の便所２５の壁面に取り付けられている。各温度センサー１Ｂ〜１０Ｂは取り付けられた部屋の室温データＴｎ（ｎ＝１〜１０）を取得することができる。
【００２２】
次に、この住宅の室温調整装置の室温制御方法を図４に基づいて説明する。制御装置５０は、先ず、各温度センサー１Ｂ〜１０Ｂが各部屋の室温データＴｎ（ｎ＝１〜１０）を取得する（ステップＳ１）。次に、各室温データＴｎの平均値である第１平均室温Ｔ１を算出する(ステップＳ２）。そして、制御対象の空調装置が取り付けられている１階の便所２３、洗面・脱衣室２２、及び２階の便所２５の室温Ｔｎが第１平均室温Ｔ１以上であるかを比較する（ステップＳ３）。これらの部屋の室温Ｔｎが第１平均室温Ｔ１よりも高い場合は制御対象である空調装置２Ａ、６Ａ、１０Ａを冷房運転し（ステップＳ４）、低い場合は制御対象である空調装置２Ａ、６Ａ、１０Ａを暖房運転して（ステップＳ５）、目標室温（第１平均室温）に近づける。そして、各部屋の室温データＴｎ（ｎ＝１〜１０）取得するステップＳ１に戻り、この室温制御を繰り返す。
【００２３】
この住宅の室温調整装置を利用して冬場に室温制御した場合の制御開始時と、制御を繰り返して安定した状態の各部屋の室温を表１に示す。なお、制御対象の空調装置２Ａ、６Ａ、１０Ａが取り付けられている１階の便所２３、洗面・脱衣室２２、及び２階の便所２５以外の部屋の室温は変化しないことを前提としている。また、台所１３はコンロの使用等によって室温が高くなっており、主寝室１４は窓が開放されて室温が低くなっている状態を想定している。
【００２４】
【表１】
2015064115.tif 000003
【００２５】
室温制御を開始した時点において、各部屋に設けられた各温度センサー１Ｂ〜１０Ｂが取得した室温の平均値である第１平均室温は１８．３℃である。このため、１８．３℃を目標室温にして、１階の便所２３、洗面・脱衣室２２、及び２階の便所２５に設けられた空調装置２Ａ、６Ａ、１０Ａの制御を開始する。この室温制御を繰り返し継続すると、１階の便所２３、洗面・脱衣室２２、及び２階の便所２５の室温が上がり、第１平均室温が１８．６℃に収束し、１階の便所２３、洗面・脱衣室２２、及び２階の便所２５の室温が１８．６℃で安定する。
【００２６】
このように、この住宅の室温調整装置は、住宅の所定の１０か所に設けられた温度センサー１Ｂ〜１０Ｂが各部屋の室温データを取得し、その室温データの平均値である第１平均室温を目標室温にして居室以外の部屋である１階の便所２３、洗面・脱衣室２２、及び２階の便所２５に設けられた空調装置２Ａ、６Ａ、１０Ａを制御する。これによって、居室以外の室温制御された部屋と他の各部屋との室温差を小さくし、ヒートショックの発生を防止することができる。
【００２７】
この際、各温度センサー１Ｂ〜１０Ｂが取得した室温データの平均値である第１平均室温を目標室温にすることによって、この目標室温に室温制御された部屋と他の各部屋との温度差のばらつきを少なくすることができる。このため、居室以外の室温制御された１階の便所２３、洗面・脱衣室２２、及び２階の便所２５と他の各部屋との間を移動する際のヒートショックの発生を防止することができる。
【００２８】
また、コンロ３３Ｂの使用等によって室温が高い台所１３に設けられた温度センサー５Ｂや、窓が開放されて室温が低い主寝室１４に設けられた温度センサー８Ｂが取得する室温データが含まれていても、平均値化することによって、目標室温への影響を緩和することができる。つまり、この住宅の室温調整装置は、目標室温が極端に偏ってしまうことを防止することができる。このため、この住宅の室温調整装置は消費エネルギーを抑えることができる。
【００２９】
したがって、実施例１の住宅の室温調整装置は、簡単な制御で消費エネルギーを抑制し、住宅内を快適に移動することができる。
【００３０】
＜実施例２＞
実施例２の住宅の室温調整装置は、図５に示すように、室温制御方法が実施例１と相違する。他の構成は、実施例１と同様であり、同一の構成は同一の符号を付して詳細な説明を省略する。
【００３１】
実施例２の住宅の室温調整装置の制御装置５０は、先ず、各温度センサー１Ｂ〜１０Ｂが各部屋の室温データＴｎ（ｎ＝１〜１０）を取得する（ステップＳ１１）。次に、各室温データＴｎの平均値である第１平均室温Ｔ１を算出する（ステップＳ１２)。次に、各部屋の室温データＴｎ（ｎ＝１〜１０）を１つずつ第１平均室温Ｔ１と比較し、第１平均室温Ｔ１との温度差が設定温度以上である室温データＴｎを異常値として除外する（ステップＳ１３)。次に、異常値を除外した室温データＴｎの平均値、つまり、第１平均室温Ｔ１に対して設定した温度範囲内の室温データＴｎのみの平均値である第２平均室温Ｔ２を算出する（ステップＳ１４）。そして、制御対象の空調装置が取り付けられている１階の便所２３、洗面・脱衣室２２、及び２階の便所２５の室温Ｔｎが第２平均室温Ｔ２以上であるかを比較する（ステップＳ１５）。これらの部屋の室温Ｔｎが第２平均室温Ｔ２よりも高い場合は制御対象である空調装置を冷房運転し（ステップＳ１６）、低い場合は制御対象である空調装置を暖房運転して（ステップＳ１７）、目標室温（第２平均室温）に近づける。そして、各部屋の室温データＴｎ（ｎ＝１〜１０）取得するステップＳ１１に戻り、この室温制御を繰り返す。
【００３２】
この住宅の室温調整装置を利用して、実施例１と同じ条件で、冬場に室温制御した場合の制御開始時と、制御を繰り返して安定した状態の各部屋の室温を表２に示す。
【００３３】
【表２】
2015064115.tif 000004
【００３４】
室温制御を開始した時点において、各部屋に設けられた各温度センサー１Ｂ〜１０Ｂが取得した室温の平均値である第１平均室温は１８．３℃である。第１平均室温との温度差が５℃以上である異常値（台所１３と主寝室１４の室温データＴｎ）を除外した室温データＴｎの平均値である第２平均室温は１９．０℃となる。このため、１９．０℃を目標室温にして、１階の便所２３、洗面・脱衣室２２、及び２階の便所２５に設けられた空調装置２Ａ、６Ａ、１０Ａの制御を開始する。この室温制御を繰り返し継続すると、１階の便所２３、洗面・脱衣室２２、及び２階の便所２５の室温が上がり、第２平均室温が１９．７℃に収束し、１階の便所２３、洗面・脱衣室２２、及び２階の便所２５の室温が１９．７℃で安定する。
【００３５】
次に、この住宅の室温調整装置を利用して、夏場に室温制御した場合の制御開始時と、制御を繰り返して安定した状態の各部屋の室温を表３に示す。なお、制御対象の空調装置２Ａ、６Ａ、１０Ａが取り付けられている１階の便所２３、洗面・脱衣室２２、及び２階の便所２５以外の部屋の室温は変化しないことを前提としている。
【００３６】
【表３】
2015064115.tif 000005
【００３７】
室温制御を開始した時点において、各部屋に設けられた各温度センサー１Ｂ〜１０Ｂが取得した室温の平均値である第１平均室温は３１．４℃である。第１平均室温との温度差が５℃以上である異常値（玄関２４と主寝室１４の室温データＴｎ）を除外した室温データＴｎの平均値である第２平均室温は３０．２℃となる。このため、３０．２℃を目標室温にして、１階の便所２３、洗面・脱衣室２２、及び２階の便所２５に設けられた空調装置２Ａ、６Ａ、１０Ａの制御を開始する。この室温制御を繰り返し継続すると、１階の便所２３、洗面・脱衣室２２、及び２階の便所２５の室温が下がり、第２平均室温が２８．２℃に収束し、１階の便所２３、洗面・脱衣室２２、及び２階の便所２５の室温が２８．２℃で安定する。
【００３８】
このように、この住宅の室温調整装置は、第１平均室温との温度差が５℃以上の室温データを異常値として除外し、残りの室温データのみの平均値を第２平均室温にして目標室温にすることによって、異常値に全く影響されない目標室温にすることができ、ヒートショックの発生を防止する適正な室温に制御することができる。
【００３９】
本発明は上記記述及び図面によって説明した実施例１及び２に限定されるものではなく、例えば次のような実施例も本発明の技術的範囲に含まれる。
（１）実施例１及び２では、１０部屋の夫々に空調装置及び温度センサーが設けられているが、温度センサーは少なくとも少なくとも居室の所定の２か所に設ければよい。
（２）実施例１及び２では、１階の便所、洗面・脱衣室、及び２階の便所の空調装置を制御したが、居室以外の部屋の少なくとも一部屋の空調装置を制御すればよい。
（３）実施例１及び２において、特定の温度以上、例えば３０℃以上の室温データ、及び特定の温度以下、例えば１０℃以下の室温データを異常値として削除し、残った室温データの平均値を目標値にしてもよい。
（４）実施例１及び２では、各部屋に一つずつ空調装置と温度センサーとを設けたが、一部屋に複数個の空調装置又は温度センサーを設けてもよい。
（５）実施例２では、第１平均室温との温度差が５℃以上である室温データを異常値としたが、室温データが異常値であると判断する第１平均室温との温度差は５℃に限らない。
（６）実施例１及び２では、住宅の室温調整装置を２階建の住宅に適用したが、２階建に限らず、任意の間取りに適用できる。
（７）実施例１及び２では、空調装置と温度センサーとが別体であるが、空調装置内に温度センサーを組み込み一体にしてもよい。
（８）実施例１及び２では、予備の寝室と２階の廊下に空調装置及び温度センサーが設けられていないが、予備の寝室と２階の廊下に空調装置及び温度センサーを設けてもよい。
【符号の説明】
【００４０】
１１〜１６…居室（１１…居間、１２…食堂、１３…台所、１４…主寝室、１５…子供用寝室、１６…予備の寝室）
２１〜２７…居室以外の部屋（２１…浴室、２２…洗面・脱衣室、２３…（１階の）便所、２４…玄関、２５…（２階の）便所、２６…廊下、２７…納戸）
１Ａ〜１０Ａ…空調装置
１Ｂ〜１０Ｂ…温度センサー
５０…制御装置
【図１】
2015064115.tif 000006
【図２】
2015064115.tif 000007
【図３】
2015064115.tif 000008
【図４】
2015064115.tif 000009
【図５】
2015064115.tif 000010